Podtech/llm-jp-corpus-v4-ja_patent huggingface dataset:
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
被検者にＸ線を照射するＸ線照射手段と、前記被検者を挟んで前記Ｘ線照射手段と対向して配置され前記被検者を透過したＸ線を検出するＸ線検出手段と、  
該Ｘ線検出手段で検出したＸ線画像データを収集し、この収集した画像データに各種の画像処理を施して所望の画像を生成する画像処理手段と、 該画像処理手段で生成したＸ線画像を表示する表示手段とを備えたＸ線画像診断装置であって、
前記画像処理手段は、前記収集した画像データから前記被検者の体動を検出する体動検出手段と、  
前記体動検出手段で検出した体動情報から非体動領域を検出する非体動検出手段と、  
前記非体動検出手段で検出した領域を現在のＸ線透視画像中に強調表示処理する非体動強調処理手段と、  
前記非体動強調処理手段で処理した画像を前記表示手段に表示制御する手段とを備えたことを特徴とするＸ線画像診断装置。  
【請求項２】
請求項１において、前記体動検出手段は、Ｘ線透視画像のフレーム間の移動方向を算出する移動方向算出手段により成され、前記非体動検出手段は、前記移動方向算出手段で算出した移動方向を記憶する移動方向メモリと、この移動方向メモリに記憶された１フレーム分の全てのデータに対して動いている画素の移動方向を算出して統計処理を行ない、この統計処理にて得た移動頻度の低い非体動オブジェクトを求める手段とを備えたことを特徴とするＸ線画像診断装置。  
【請求項３】
請求項１，２において、前記非体動強調処理手段は、遅延手段により現在のＸ線透視画像を遅延させ、この遅延されたＸ線透視画像と前記非体動検出手段の出力とを入力してこれらを合成し、前記非体動検出手段で求めた頻度の低い移動を持つ領域を強調表示処理し、この強調表示処理された領域を前記Ｘ線透視画像に強調表示制御することを特徴とするＸ線画像診断装置。  
【請求項４】
請求項１，２，３又は４において、前記非体動強調処理手段にカラー化処理する手段又は前記非体動強調処理手段に実線や破線によるコントラスト強調表示処理手段を備え、前記強調表示領域をカラー表示又はコントラスト強調表示することを特徴とするＸ線画像診断装置。
【手続補正２】
【補正対象書類名】明細書
【補正対象項目名】００１０
【補正方法】変更
【補正の内容】
【００１０】
(１)被検者にＸ線を照射するＸ線照射手段と、前記被検者を挟んで前記Ｘ線照射手段と対向して配置され前記被検者を透過したＸ線を検出するＸ線検出手段と、  
該Ｘ線検出手段で検出したＸ線画像データを収集し、この収集した画像データに各種の画像処理を施して所望の画像を生成する画像処理手段と、 該画像処理手段で生成したＸ線画像を表示する表示手段とを備えたＸ線画像診断装置であって、前記画像処理手段は、前記収集した画像データから前記被検者の体動を検出する体動検出手段と、 前記体動検出手段で検出した体動情報から非体動領域を検出する非体動検出手段と、 前記非体動検出手段で検出した領域を現在のＸ線透視画像中に強調表示処理する非体動強調処理手段と、前記非体動強調処理手段で処理した画像を前記表示手段に表示制御する手段とを備えた構成である。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
遊技機前方に開放された筐体と、遊技に関する各種制御を実施する制御基板を有してなる制御基板装置と、前記筐体の背面部に固定され前記制御基板装置を搭載する台座装置とを備え、
前記台座装置に連結された状態で前記制御基板装置が前記筐体の背面部側から手前側へ移動可能となる構成を有する遊技機において、
前記制御基板装置の前方に、前記筐体内の少なくとも一部領域を前後に分ける分割部材を設け、
前記分割部材に、前記制御基板装置の手前側への移動を許容する一方前記台座装置の少なくとも一部を通過させ難くするようにして開口部を設けたことを特徴とする遊技機。
【請求項２】
遊技機前方に開放された筐体と、遊技に関する各種制御を実施する制御基板を有してなる制御基板装置と、前記筐体の背面部に固定され前記制御基板装置を搭載する台座装置とを備え、
前記台座装置に連結された状態で前記制御基板装置が前記筐体の背面部側から手前側へ移動可能となる構成を有する遊技機において、
前記制御基板装置の前方に、前記筐体内の少なくとも一部領域を前後に分ける分割部材を設け、該分割部材に前記制御基板装置の手前側への移動を許容する開口部を形成する一方、
前記台座装置に、前記筐体の背面部から取り外して前記分割部材の開口部を通過させようとした際に該開口部の周囲部分に干渉する干渉部を設けたことを特徴とする遊技機。
【請求項３】
遊技機前方に開放された筐体と、遊技に関する各種制御を実施する制御基板を有してなる制御基板装置とを備え、
前記制御基板装置を、前記制御基板が遊技機正面を向くようにして前記筐体の背面部に固定した遊技機において、
前記制御基板装置の前方に、該筐体内の少なくとも一部領域を前後に分ける分割部材を設け、
前記分割部材に、前記筐体の正面から前記制御基板を視認可能とし、且つ前記制御基板装置の通過をさせ難くするようにして開口部を設けたことを特徴とする遊技機。
【請求項４】
外周に絵柄が付され回転可能に構成される円環状の回転体を有する絵柄表示装置を表示装置搭載フレームに搭載してなる表示ユニットを備えるとともに、該表示ユニットを前記筐体内に配設し、
前記表示装置搭載フレームを前記分割部材として用い、該表示装置搭載フレームに前記開口部を設けたことを特徴とする請求項１乃至３のいずれか１項に記載の遊技機。
【請求項５】
前記表示装置搭載フレームに、前記絵柄表示装置を搭載するための絵柄表示装置搭載領域を形成し、
前記絵柄表示装置搭載領域の上下いずれかに前記開口部を設けたことを特徴とする請求項４に記載の遊技機。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
遊技機前方に開放された筐体と、遊技に関する各種制御を実施する制御基板を有してなる制御基板装置と、前記制御基板装置を搭載し、前記制御基板が遊技機正面を向くように設けられる台座装置とを備え、
前記台座装置に連結された状態で前記制御基板装置が手前側へ移動可能となる構成を有する遊技機において、
前記筐体内の少なくとも一部領域を前後に分ける分割部材を設けて該分割部材に開口部を形成すると共に、前記台座装置に前記開口部の周縁部より拡張するようにして少なくとも上下一対又は左右一対の拡張部を設け、
前記分割部材に、前記制御基板装置が前記開口部よりも前方で移動可能であり、更に該分割部材の後方に前記拡張部が位置するようにして前記台座装置を組み付けたことを特徴とする遊技機。
【請求項２】
遊技機前方に開放された筐体と、遊技に関する各種制御を実施する制御基板をケース部材に収容してなる制御基板装置とを備えた遊技機において、
前記筐体内の少なくとも一部領域を前後に分ける分割部材を設けて該分割部材に開口部を形成すると共に、前記ケース部材に前記開口部の周縁部より拡張するようにして少なくとも上下一対又は左右一対の拡張部を設け、
前記分割部材に、前記制御基板が前記筐体の正面方向から視認可能であり、更に該分割部材の後方に前記拡張部が位置するようにして前記制御基板装置を組み付けたことを特徴とする遊技機。
【請求項３】
外周に絵柄が付され回転可能に構成される円環状の回転体を有する絵柄表示装置を表示装置搭載フレームに搭載してなる表示ユニットを備え、
前記表示装置搭載フレームを前記分割部材として用い、該表示装置搭載フレームに前記開口部を設けたことを特徴とする請求項１又は２に記載の遊技機。
【請求項４】
前記表示装置搭載フレームに、前記絵柄表示装置を搭載するための絵柄表示装置搭載領域を形成し、
前記絵柄表示装置搭載領域の上下いずれかに前記開口部を設けたことを特徴とする請求項３に記載の遊技機。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
気流が流動する流路と、
前記流路に設けられ、貯留部に貯留された液体を霧化する霧化部と、
前記霧化部にて生成されたエアロゾルを含む気流を装置外部に吐出する吐出部とを備えた吸入器であって、
前記流路を規定する壁部には、前記流路と装置外部とを連通する連通孔と、前記連通孔を閉塞可能な可撓性部材からなる弁体とを含み、前記流路に導入された呼気を装置外部に排気するための呼気弁として機能する逆止弁が設けられ、
前記逆止弁が設けられた前記壁部の外壁面には、前記流路に導入された呼気の流動方向と略直交する方向においてのみ湾曲する表面を有する凹部が設けられ、
前記連通孔は、前記凹部に設けられ、
前記弁体の前記凹部の表面と接触する主面は、前記壁部への非取付状態において、平面であるか、あるいは、前記凹部の湾曲方向と平行な方向においてのみ湾曲しかつその曲率が前記凹部の表面の曲率よりも小さい曲率を有する湾曲面であるか、のいずれかであり、
前記弁体は、その中央部が前記凹部の前記表面の湾曲方向における略中央部において前記壁部に固定され、これにより前記凹部の表面に対して付勢された状態で取り付けられている、吸入器。
【請求項２】
気流が流動する流路と、
前記流路に設けられ、貯留部に貯留された液体を霧化する霧化部と、
前記霧化部にて生成されたエアロゾルを含む気流を装置外部に吐出する吐出部とを備えた吸入器であって、
前記流路を規定する壁部には、前記流路と装置外部とを連通する連通孔と、前記連通孔を閉塞可能な可撓性部材からなる弁体とを含み、前記流路に導入された呼気を装置外部に排気するための呼気弁として機能する逆止弁が設けられ、
前記逆止弁が設けられた前記壁部の外壁面には、前記流路に導入された呼気の流動方向と略直交する方向においてのみ屈曲する表面を有する凹部が設けられ、
前記連通孔は、前記凹部に設けられ、
前記弁体の前記凹部の表面と接触する主面は、前記壁部への非取付状態において、平面であるか、あるいは、前記凹部の屈曲方向と平行な方向においてのみ屈曲しかつその屈曲部における内角が前記凹部の表面に設けられた屈曲部の内角よりも大きい角度を有する屈曲面であるか、のいずれかであり、
前記弁体は、その中央部が前記凹部の前記表面の屈曲方向における略中央部において前記壁部に固定され、これにより前記凹部の表面に対して付勢された状態で取り付けられている、吸入器。
【請求項３】
前記弁体は、前記壁部に対する前記弁体の固定部から遠ざかるにつれてその厚みが減じるように形成されている、請求項１または２に記載の吸入器。
【請求項４】
前記壁部に対する前記弁体の固定は、前記弁体に設けられたスリットに前記壁部に設けられた突条部を挿し込むことによって行なわれている、請求項１から３のいずれかに記載の吸入器。
【請求項５】
前記壁部に設けられた前記連通孔を規定する連通孔形成面のうち、前記吐出部と対面する部分は、前記流路側から装置外部側に向かうにつれて前記吐出部からの距離が遠ざかるように傾斜して設けられている、請求項１から４のいずれかに記載の吸入器。
【請求項６】
気流が流動する流路と、
前記流路に設けられ、貯留部に貯留された液体を霧化する霧化部と、
前記霧化部にて生成されたエアロゾルを含む気流を装置外部に吐出する吐出部とを備えた吸入器であって、
前記流路を規定する壁部には、前記流路と装置外部とを連通する連通孔と、前記連通孔を閉塞可能な可撓性部材からなる弁体とを含み、装置外部から前記流路に外気を導入するための吸気弁として機能する逆止弁が設けられ、
前記逆止弁が設けられた前記壁部の内壁面には、前記弁体が取り付けられる側から見て、縦方向または横方向のいずれか一方向においてのみ湾曲する表面を有する凹部が設けられ、
前記連通孔は、前記凹部に設けられ、
前記弁体の前記凹部の表面と接触する主面は、前記壁部への非取付状態において、平面であるか、あるいは、前記凹部の湾曲方向と平行な方向においてのみ湾曲しかつその曲率が前記凹部の表面の曲率よりも小さい曲率を有する湾曲面であるか、のいずれかであり、
前記弁体は、その略中央部が前記凹部の前記表面の湾曲方向における略中央部において前記壁部に固定され、これにより前記凹部の表面に対して付勢された状態で取り付けられている、吸入器。
【請求項７】
気流が流動する流路と、
前記流路に設けられ、貯留部に貯留された液体を霧化する霧化部と、
前記霧化部にて生成されたエアロゾルを含む気流を装置外部に吐出する吐出部とを備えた吸入器であって、
前記流路を規定する壁部には、前記流路と装置外部とを連通する連通孔と、前記連通孔を閉塞可能な可撓性部材からなる弁体とを含み、装置外部から前記流路に外気を導入するための吸気弁として機能する逆止弁が設けられ、
前記逆止弁が設けられた前記壁部の内壁面には、前記弁体が取り付けられる側から見て、縦方向または横方向のいずれか一方向においてのみ屈曲する表面を有する凹部が設けられ、
前記連通孔は、前記凹部に設けられ、
前記弁体の前記凹部の表面と接触する主面は、前記壁部への非取付状態において、平面であるか、あるいは、前記凹部の屈曲方向と平行な方向においてのみ屈曲しかつその屈曲部における内角が前記凹部の表面に設けられた屈曲部の内角よりも大きい角度を有する屈曲面であるか、のいずれかであり、
前記弁体は、その略中央部が前記凹部の前記表面の屈曲方向における略中央部において前記壁部に固定され、これにより前記凹部の表面に対して付勢された状態で取り付けられている、吸入器。
【請求項８】
前記弁体は、前記壁部に対する前記弁体の固定部から遠ざかるにつれてその厚みが減じるように形成されている、請求項６または７に記載の吸入器。
【請求項９】
前記壁部に対する前記弁体の固定は、前記弁体に設けられたスリットに前記壁部に設けられた突条部を挿し込むことによって行なわれている、請求項６から８のいずれかに記載の吸入器。
【手続補正２】
【補正対象書類名】明細書
【補正対象項目名】０００３
【補正方法】変更
【補正の内容】
【０００３】
一般に、この種の吸入器においては、使用者に負担をかけることなくかつエアロゾルの吸入がより効率的に行なえるように、装置本体に呼気弁や吸気弁が設けられる。呼気弁および吸気弁は、いずれも、装置内部に設けられた気流の流路を構成する壁部に設けられた連通孔と、この連通孔を閉塞するように壁部に取り付けられた弁体とを含む逆止弁にて構成される。ここで、呼気弁は、使用者が吐き出した呼気を流路から装置外部に排気するための弁であり、吸気弁は、使用者が流路中に分散したエアロゾルを含む空気を吸い込むために、装置外部から流路に外気を取り込むための弁である。
【手続補正３】
【補正対象書類名】明細書
【補正対象項目名】０００５
【補正方法】変更
【補正の内容】
【０００５】
上記特許文献１に開示の呼気弁は、マウスピースの平坦な外壁部分に、弾性部材からなる弁体を取り付けたものである。また、上記特許文献２に開示の呼気弁は、マウスピースに設けられたオリフィス部の平面形状を有する外壁面に、平坦な形状の弾性部材からなる弁体を取り付けたものである。一方、上記特許文献３に開示の吸気弁は、装置内部の平坦な内壁面に、弾性部材からなる弁体を取り付けたものである。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
カートリッジ本体にインクを収容するとともに、記録装置のカートリッジホルダに装着された状態で上記カートリッジ本体に連通するインク供給口を介して記録ヘッドにインクを供給するインクカートリッジであって、
上記カートリッジホルダに装着された状態における上記カートリッジ本体の上面に、上記カートリッジホルダに装着された状態における正面に向かって下り傾斜する傾斜面が形成されており、かつ、上記カートリッジ本体の上面は、上記カートリッジホルダに装着された状態における背面側から上記正面に向かって下り傾斜していることを特徴とするインクカートリッジ。
【請求項２】
上記インク供給口は上記カートリッジ本体の底面における上記正面よりも上記背面に近い側に設けられている請求項１記載のインクカートリッジ。
【請求項３】
上記カートリッジ本体の上記背面に、上記カートリッジホルダに設けられた電気的接点と接触して導通する電気的接点が設けられている請求項１または２記載のインクカートリッジ。
【請求項４】
上記カートリッジ本体の上記上面における上記インク供給口と対向する部分に、上記インクカートリッジの押圧位置を示す表示が設けられている請求項１〜３のいずれか一項に記載のインクカートリッジ。
【請求項５】
上記カートリッジ本体の上記正面および上記背面に、インクカートリッジの着脱の際に把持される把持部材が設けられている請求項１〜４のいずれか一項に記載のインクカートリッジ。
【請求項６】
上記把持部材の把持部の中央に凸部が形成されている請求項５記載のインクカートリッジ。
【請求項７】
上記両把持部材のうち一方の把持部材が、上記カートリッジホルダにインクカートリッジを係止する係止部材を兼ねている請求項５または６に記載のインクカートリッジ。
【請求項８】
上記係止部材を兼ねている把持部材が、上記背面に設けられた把持部材である請求項７記載のインクカートリッジ。
【請求項９】
上記インクカートリッジが、少なくとも２つ以上隣接した状態で上記カートリッジホルダに装着されて使用されるものである請求項１〜８のいずれか一項に記載のインクカートリッジ。
【手続補正２】
【補正対象書類名】明細書
【補正対象項目名】０００６
【補正方法】変更
【補正の内容】
【０００６】
上記目的を達成するため、本発明のインクカートリッジは、カートリッジ本体にインクを収容するとともに、記録装置のカートリッジホルダに装着された状態で上記カートリッジ本体に連通するインク供給口を介して記録ヘッドにインクを供給するインクカートリッジであって、上記カートリッジホルダに装着された状態における上記カートリッジ本体の上面に、上記カートリッジホルダに装着された状態における正面に向かって下り傾斜する傾斜面が形成されており、かつ、上記カートリッジ本体の上面は、上記カートリッジホルダに装着された状態における背面側から上記正面に向かって下り傾斜していることを要旨とする。
【手続補正３】
【補正対象書類名】明細書
【補正対象項目名】０００７
【補正方法】変更
【補正の内容】
【０００７】
すなわち、本発明のインクカートリッジは、カートリッジホルダに装着された状態におけるカートリッジ本体の上面に、カートリッジホルダに装着された状態における正面に向かって下り傾斜する傾斜面が形成されており、かつ、上記カートリッジ本体の上面は、カートリッジホルダに装着された状態における背面側から正面に向かって下り傾斜している。このため、カートリッジホルダへのインクカートリッジの着脱作業は、多くは正面側から行なわれるため、上記傾斜面によってカートリッジを把持しやすくなり、カートリッジホルダへの着脱時の操作性が改良される。
【手続補正４】
【補正対象書類名】明細書
【補正対象項目名】０００８
【補正方法】変更
【補正の内容】
【０００８】
本発明のインクカートリッジにおいて、インク供給口がカートリッジ本体の底面における上記正面よりも上記背面に近い側に設けられている場合には、上記傾斜面を押圧することにより、インク供給針のようなカートリッジホルダのインク供給部に対してインク供給口を強く押して確実に嵌合させることができる。
【手続補正５】
【補正対象書類名】明細書
【補正対象項目名】００１５
【補正方法】変更
【補正の内容】
【００１５】
本発明のインクカートリッジにおいて、上記係止部材を兼ねている把持部材が、背面に設けられた把持部材である場合には、正面側に下り傾斜した傾斜面とあいまって、背面の係止部材側をより強く押圧して確実に係止することができ、操作性の改良と装着感の向上を同時に行なうことができる。さらに、この場合において、背面側にインク供給口を設けた場合、インク供給口とインク供給部との嵌合をより確実に行なうことができる。さらに、背面に電気的接点を設けた場合、電気的接続をより確実に行なうことができる。
【手続補正６】
【補正対象書類名】明細書
【補正対象項目名】００１７
【補正方法】変更
【補正の内容】
【００１７】
以上のように、本発明のインクカートリッジによれば、カートリッジホルダに装着された状態における上記カートリッジ本体の上面に、上記カートリッジホルダに装着された状態における正面に向かって下り傾斜する傾斜面が形成されており、かつ、上記カートリッジ本体の上面は、上記カートリッジホルダに装着された状態における背面側から上記正面に向かって下り傾斜しているため、カートリッジホルダへのインクカートリッジの着脱作業は、多くは正面側から行なわれるため、上記傾斜面によってカートリッジを把持しやすくなり、カートリッジホルダへの着脱時の操作性が改良される。
【手続補正７】
【補正対象書類名】明細書
【補正対象項目名】００５３
【補正方法】変更
【補正の内容】
【００５３】
このように、上記カートリッジ１では、カートリッジ本体２の上面に正面に向かって下り傾斜する傾斜面９が形成されており、かつ、カートリッジ本体２の上面が背面側から正面に向かって下り傾斜しているため、カートリッジホルダ２０へのカートリッジ１の着脱作業は多くは正面側から行なわれるため、この着脱作業の際、上記傾斜面９によってカートリッジ１を把持しやすくなり、カートリッジホルダ２０への着脱時の操作性が改良される。
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
車両構成要素の温度を上昇又は低下させるため自動車における熱を交換する装置であって、
冷媒を少なくとも１つの冷却回路を介して送出するポンプと、
少なくとも２つの熱交換器及び少なくとも１つの蓄熱体を含む第１の冷却回路と、
熱エネルギを少なくとも１つの第１の車両構成要素と交換する第２の冷却回路と、
前記第２の冷却回路と選択的に接続可能であり、且つ熱エネルギを少なくとも１つの第２の車両構成要素と交換する第３の冷却回路と、
第１の冷却回路を、第２の冷却回路と第３の冷却回路とのうちの少なくとも１つと選択的に接続し、且つ独立に、第２の冷却回路と第３の冷却回路とを互いに選択的に接続する複数の制御手段と
を備える装置。
【請求項２】
前記複数の制御手段が、前記第２の及び第３の冷却回路を、互いに、独立に、選択的に接続する四方弁を備える、請求項１に記載の熱を交換するための装置。
【請求項３】
前記複数の制御手段が、前記第２の及び第３の冷却回路を、互いに、独立に、選択的に、接続する三方弁を備える、請求項１に記載の熱を交換するための装置。
【請求項４】
前記第２の冷却回路が、冷媒を、前記第２の回路を介して送出する第２のポンプを備え、
前記第３の回路が、冷媒を、前記第３の回路を介して送出する第３のポンプを備える、
請求項１ないし３のいずれかに記載の熱を交換するための装置。
【請求項５】
前記第２の及び前記第３のポンプの少なくとも１つが、オフに切り換えられた状態で、液体が流れることを可能とする能力を持つ、請求項４に記載の熱を交換するための装置。
【請求項６】
前記装置が、少なくとも２つの作動モードにおいて作動する能力を持ち、
第１の作動モードにおいて、前記第２の及び第３の冷却回路が互いに接続され、前記第２の及び第３のポンプの１つだけが作動し、そして、
第２の作動モードにおいて、前記第２の及び第３の冷却回路が互いに分離され、前記第２の及び第３のポンプの双方が作動する、
請求項４に記載の熱を交換するための装置。
【請求項７】
車両構成要素の温度を上昇又は下降させるための自動車における熱を交換する装置であって、
冷媒を少なくとも１つの冷却回路を介して送出するポンプと、
少なくとも２つの熱交換器及び少なくとも１つの蓄熱体を含む第１の冷却回路と、
熱エネルギを少なくとも１つの第１の車両構成要素と交換する第２の冷却回路と、
前記第２の冷却回路と選択的に接続可能であり、且つ熱エネルギを少なくとも１つの第２の車両構成要素と交換する第３の冷却回路と、
第１の冷却回路を、第２の冷却回路と第３の冷却回路とのうちの少なくとも１つと選択的に接続する、複数の制御手段と
を備え、
熱を交換するための前記装置が、少なくとも２つの作動モードにおいて作動する能力を持ち、
第１の作動モードにおいて、前記第２の及び第３の冷却回路が互いに接続され、第２の作動モードにおいて、前記第２の及び第３の冷却回路が、互いに分離される、
熱を交換するための装置。
【請求項８】
前記第２の冷却回路が、冷媒を前記第２の回路を介して送出する第２のポンプを備え、
前記第３の回路が、冷媒を前記第３の回路を介して送出する第３のポンプを備える、
請求項７に記載の熱を交換するための装置。
【請求項９】
前記第１の作動モードにおいて、前記第２の及び第３のポンプの１つだけが作動し、
前記第２の作動モードにおいて、前記第２の及び第３のポンプの双方が作動する、
請求項８に記載の熱を交換するための装置。
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
商用交流電源が供給される電源入力端子と、前記電源入力端子に接続された主電源スイッチとを、有し、溶接プロセス及び各種のパラメータを含む溶接条件が設定され、設定された前記溶接条件に従った溶接出力を出力する溶接機用電源装置であって、
前記溶接条件を設定する操作パネル部と、
前記主電源スイッチがターンオフされたとき、前記溶接条件を記憶し、前記主電源スイッチがターンオンされたとき、記憶している前記溶接条件が前記電源装置に設定される記憶手段とを、
具備し
ピーク電流に対する溶接条件が設定されるとき、前記ピーク電流に対応するベース電流、初期電流、クレータ電流及びアフターフロー時間が自動的に設定され、ホットスタート電流、パルス幅、プリフロー時間、アップスロープ時間及びダウンスロープ時間が予め決定された固定値に設定される
溶接機用電源装置。
【請求項２】
商用交流電源が供給される電源入力端子と、前記電源入力端子に接続された主電源スイッチとを、有し、溶接プロセス及び各種のパラメータを含む溶接条件が設定され、設定された前記溶接条件に従った溶接出力を出力する溶接機用電源装置であって、
前記溶接条件を設定する操作パネル部と、
前記主電源スイッチがターンオフされたとき、前記溶接条件を記憶し、前記主電源スイッチがターンオンされたとき、記憶している前記溶接条件が前記電源部に設定される記憶手段とを、
具備し、ピーク電流に対する溶接条件が設定されるとき、前記ピーク電流に対応するベース電流、初期電流、クレータ電流、アフターフロー時間、アップスロープ時間及びダウンスロープ時間が自動的に設定され、ホットスタート電流、パルス幅及びプリフロー時間が、予め決定された固定値に設定される
溶接機用電源装置。
【手続補正２】
【補正対象書類名】明細書
【補正対象項目名】００１４
【補正方法】変更
【補正の内容】
【００１４】
本発明の一態様の溶接機用電源装置は、商用交流電源が供給される電源入力端子と、前記電源入力端子に接続された主電源スイッチとを、有し、溶接プロセス及び各種のパラメータを含む溶接条件が設定され、設定された前記溶接条件に従った溶接出力を出力するものである。更に、この電源装置は、前記溶接条件を設定する操作パネル部と、前記主電源スイッチがターンオフされたとき、前記溶接条件を記憶し、前記主電源スイッチがターンオンされたとき、記憶している前記溶接条件が前記電源装置に設定される記憶手段とを、具備し、ピーク電流に対する溶接条件が設定されるとき、前記ピーク電流に対応するベース電流、初期電流、クレータ電流及びアフターフロー時間が自動的に設定され、ホットスタート電流、パルス幅、プリフロー時間、アップスロープ時間及びダウンスロープ時間が予め決定された固定値に設定される。
【手続補正３】
【補正対象書類名】明細書
【補正対象項目名】００１５
【補正方法】変更
【補正の内容】
【００１５】
本発明の他の態様の溶接機用電源装置は、商用交流電源が供給される電源入力端子と、前記電源入力端子に接続された主電源スイッチとを、有し、溶接プロセス及び各種のパラメータを含む溶接条件が設定され、設定された前記溶接条件に従った溶接出力を出力するものである。更に、この電源装置は、前記溶接条件を設定する操作パネル部と、前記主電源スイッチがターンオフされたとき、前記溶接条件を記憶し、前記主電源スイッチがターンオンされたとき、記憶している前記溶接条件が前記電源部に設定される記憶手段とを、
具備し、ピーク電流に対する溶接条件が設定されるとき、前記ピーク電流に対応するベース電流、初期電流、クレータ電流、アフターフロー時間、アップスロープ時間及びダウンスロープ時間が自動的に設定され、ホットスタート電流、パルス幅及びプリフロー時間が、予め決定された固定値に設定される。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正書】
【提出日】平成20年3月19日(2008.3.19)
【手続補正１】
【補正対象書類名】明細書
【補正対象項目名】発明の名称
【補正方法】変更
【補正の内容】
【発明の名称】車両の空調機制御装置、車両の空調制御方法および車両
【手続補正２】
【補正対象書類名】明細書
【補正対象項目名】特許請求の範囲
【補正方法】変更
【補正の内容】
【特許請求の範囲】
【請求項１】
車室内の温度を調整する空調機と、
携帯移動通信端末と通信可能な通信装置とを有する車両に適用され、
前記携帯移動通信端末と前記通信装置との各位置情報に基づいて両者間の距離を計算する距離計算手段と、
前記計算された距離に基づいて前記空調機の作動開始を制御する作動開始制御手段とを備えたことを特徴とする車両の空調機制御装置。
【請求項２】
前記請求項１に記載した車両の空調機制御装置において、
前記作動開始制御手段は、
前記計算された距離に応じて運転者が車両に到着するまでの時間を計算する時間計算手段と、
前記計算された時間から前記空調機の作動によって車室内を適正な温度に設定するために必要な時間を減算して空調機の作動開始時刻を設定する作動開始時刻設定手段とを含む車両の空調機制御装置。
【請求項３】
前記携帯移動通信端末が携帯電話である前記請求項１に記載した車両の空調機制御装置。
【請求項４】
ユーザが携帯している携帯移動通信端末と車両に組み付けられた通信装置との間の距離に応じて、車室内の温度を調整する空調機の作動開始を制御する車両の空調機制御方法。
【請求項５】
前記請求項４に記載した車両の空調機制御方法において、
前記空調機の作動開始を制御するときに、
前記携帯移動通信端末の位置の変化に応じて、同携帯移動通信端末と前記通信装置の位置を確認するようにしたことを特徴とする車両の空調機制御方法。
【請求項６】
車室内の温度を調整する空調機と、
携帯移動通信端末と通信可能な通信装置と、
前記携帯移動通信端末と前記通信装置との間の距離に応じて前記空調機の作動開始を制御する作動開始制御手段とを備えたことを特徴とする車両。
【請求項７】
前記請求項６に記載した車両において、
前記作動開始制御手段は、
前記携帯移動通信端末の位置の変化に応じて、同携帯移動通信端末と前記通信装置の位置を確認して前記空調機の作動開始を制御することを特徴とする車両。
【手続補正３】
【補正対象書類名】明細書
【補正対象項目名】０００１
【補正方法】変更
【補正の内容】
【０００１】
【発明の属する技術分野】
本発明は、携帯移動通信端末と車両の位置に基づいて、車両の空調機の作動開始を制御する車両の空調機制御装置、車両の空調機制御方法および車両に関する。
【手続補正４】
【補正対象書類名】明細書
【補正対象項目名】０００４
【補正方法】変更
【補正の内容】
【０００４】
【発明の概略】
本発明は、上記した問題に対処するためになされたものであり、その目的は、車両外部から空調機の作動開始を簡単に指示できるようにするとともに、燃料の消費を抑えて車室内の温度を調整する車両の空調機制御装置、車両の空調機制御方法および車両を提供するものである。
【手続補正書】
【提出日】平成20年2月29日(2008.2.29)
【手続補正１】
【補正対象書類名】明細書
【補正対象項目名】特許請求の範囲
【補正方法】変更
【補正の内容】
【特許請求の範囲】
【請求項１】 複数個のインクジェットヘッドが搭載されたキャリッジと、メイン電源が設けられたプリンタ本体と、前記メイン電源と前記複数のインクジェットヘッドとの電気的導通を図るケーブルと、を有するインクジェットプリンタにおいて、前記メイン電源が供給する電圧から、前記複数のインクジェットヘッド毎に応じたヘッド駆動電圧を生成する生成部を、前記キャリッジに設けたことを特徴とするインクジェットプリンタ。
【請求項２】 前記生成部は、前記メイン電源からの電圧に関わらず各インクジェットヘッド毎の駆動電圧を任意に設定するヘッド電圧制御部と、前記各インクジェットヘッド毎に設けられ、前記メイン電源から供給される電圧を、前記ヘッド電圧制御部によって任意に設定された駆動電圧に変換する複数の電圧変換部と、を更に有することを特徴とする請求項１に記載のインクジェットプリンタ。
【請求項３】前記ケーブルには、前記インクジェットヘッドの個数に関わらず、1種類の共用の電圧が供給され、前記生成部は、前記１種類の共用の電圧から前記複数のインクジェットヘッド毎に応じたヘッド駆動電圧を生成することを特徴とする請求項１に記載のインクジェットプリンタ。
【請求項４】前記複数のインクジェットヘッドは、前記キャリッジに対し、着脱可能に搭載されることを特徴とする請求項１乃至３のいずれかに記載のインクジェットプリンタ。
【請求項５】前記各インクジェットヘッド毎にヘッド温度検知器を設け、前記ヘッド電圧制御部は前記各ヘッド温度検知器からの温度情報に基づき、各インクジェットヘッドに応じた駆動電圧値を設定することを特徴とする請求項２に記載のインクジェットプリンタ。
【請求項６】前記インクジェットヘッドに供給されるインクが収納されるインクタンクと、前記インクタンクもしくは当該インクタンク内インクの温度を検知するインク温度検知器と、前記インクタンク周辺に対して送風するファンと、前記インク温度検知器からの温度情報に基づき、前記ファンの駆動を制御するファン制御部と、を更に有することを特徴とする請求項２に記載のインクジェットプリンタ。
【請求項７】前記インクタンクは前記インクジェットヘッド毎に複数設けられ、前記インク温度検知器は前記複数のインクタンク毎に複数設けられ、前記ファン制御部は、前記複数のインク温度検知器から検知される複数の温度情報のうち、最低値と最高値との差が所定の値よりも大きい場合に前記ファンを駆動させるように制御する、ことを特徴とする請求項６に記載のインクジェットプリンタ。
【請求項８】前記インクタンクは前記インクジェットヘッド毎に複数設けられ、前記インク温度検知器は前記複数のインクタンク毎に複数設けられ、前記ファン制御部は、前記複数のインク温度検知器から検知される複数の温度情報のうち、いずれか１つの値が所定の値よりも大きい場合に前記ファンを駆動させるように制御する、ことを特徴とする請求項６に記載のインクジェットプリンタ。
【手続補正２】
【補正対象書類名】明細書
【補正対象項目名】００２２
【補正方法】変更
【補正の内容】
【００２２】
【課題を解決するための手段】前記目的を達成するために、本発明では、複数個のインクジェットヘッドが搭載されたキャリッジと、メイン電源が設けられたプリンタ本体と、前記メイン電源と前記複数のインクジェットヘッドとの電気的導通を図るケーブルと、を有するインクジェットプリンタにおいて、前記メイン電源が供給する電圧から、前記複数のインクジェットヘッド毎に応じたヘッド駆動電圧を生成する生成部を、前記キャリッジに設けたことを特徴とする。
さらに、本発明では、前記生成部は、前記メイン電源からの電圧に関わらず各インクジェットヘッド毎の駆動電圧を任意に設定するヘッド電圧制御部と、前記各インクジェットヘッド毎に設けられ、前記メイン電源から供給される電圧を、前記ヘッド電圧制御部によって任意に設定された駆動電圧に変換する複数の電圧変換部と、を更に有することを特徴とする。
【手続補正３】
【補正対象書類名】明細書
【補正対象項目名】００２３
【補正方法】変更
【補正の内容】
【００２３】
また、本発明は、前記ケーブルには、前記インクジェットヘッドの個数に関わらず、１種類の共用の電圧が供給され、前記生成部は、前記１種類の共用の電圧から前記複数のインクジェットヘッド毎に応じたヘッド駆動電圧を生成することを特徴とする。
また、本発明は、前記複数のインクジェットヘッドは、前記キャリッジに対し、着脱可能に搭載されることを特徴とする。
また、本発明は、前記各インクジェットヘッド毎にヘッド温度検知器を設け、前記ヘッド電圧制御部は前記各ヘッド温度検知器からの温度情報に基づき、各インクジェットヘッドに応じた駆動電圧値を設定することを特徴とする。
【手続補正４】
【補正対象書類名】明細書
【補正対象項目名】００２４
【補正方法】変更
【補正の内容】
【００２４】
また、本発明は、前記インクジェットヘッドに供給されるインクが収納されるインクタンクと、前記インクタンクもしくは当該インクタンク内インクの温度を検知するインク温度検知器と、前記インクタンク周辺に対して送風するファンと、前記インク温度検知器からの温度情報に基づき、前記ファンの駆動を制御するファン制御部と、を更に有することを特徴とする。
また、本発明は、前記インクタンクは前記インクジェットヘッド毎に複数設けられ、前記インク温度検知器は前記複数のインクタンク毎に複数設けられ、前記ファン制御部は、前記複数のインク温度検知器から検知される複数の温度情報のうち、最低値と最高値との差が所定の値よりも大きい場合に前記ファンを駆動させるように制御する、ことを特徴とする。
また、本発明は、前記インクタンクは前記インクジェットヘッド毎に複数設けられ、前記インク温度検知器は前記複数のインクタンク毎に複数設けられ、前記ファン制御部は、前記複数のインク温度検知器から検知される複数の温度情報のうち、いずれか１つの値が所定の値よりも大きい場合に前記ファンを駆動させるように制御する、ことを特徴とする。
【手続補正書】
【提出日】平成19年11月29日(2007.11.29)
【手続補正１】
【補正対象書類名】明細書
【補正対象項目名】００３４
【補正方法】変更
【補正の内容】
【００３４】
＜ゴム組成物とゴムの特性測定方法＞
１．ムーニー粘度  
ＪＩＳ  Ｋ６３００に規定された方法に従って、１００℃で測定した。
２．伸び（％）
ＪＩＳ  Ｋ６２５１に規定された方法に従って測定した。
３．引裂き強度（Ｎ／ｍｍ）
ＪＩＳ  Ｋ６２５２に規定された方法に従って測定した。
４．磨耗容積（ｃｍ3）
ＪＩＳ  Ｋ６２６４のアクロン磨耗試験Ａ−２に準拠して測定した。
５．ｔａｎδ
ＪＩＳ  Ｋ７２２４−４の引張振動−非共振法に準拠して測定した。測定周波数１０Ｈｚ。動的歪０．１％。０℃でのｔａｎδ値と６０℃でのｔａｎδ値を測定した。
６．特性バランス
上記の０℃でのｔａｎδ値と６０℃でのｔａｎδ値の比、すなわち、（０℃でのｔａｎδ値）／（６０℃でのｔａｎδ値）である。大きいほど、タイヤバランス（ウェットスキッド性と低燃費性）が良い。
【手続補正２】
【補正対象書類名】明細書
【補正対象項目名】００３９
【補正方法】変更
【補正の内容】
【００３９】
【表１】
2004196937.tif 000001
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
廃食油を再生するための再生処理物質であって、
径が１００μｍ以下の粉状の人工ゼオライトであることを特徴とする再生処理物質。
【請求項２】
請求項１に記載の再生処理物質において、
前記人工ゼオライトがＮａ型、Ｈ型、Ｋ型、Ｃａ型、Ｍｇ型、Ａｌ型又はＦｅ型であることを特徴とする再生処理物質。
【請求項３】
請求項１又は２に記載の再生処理物質を利用して廃食油を再生する廃食油の再生処理方法であって、
廃食油を加熱しながら撹拌する第１の工程と、
第１の工程後の廃食油に前記再生処理物質を添加してこれら混合物を加熱しながら撹拌する第２の工程と、
前記混合物を濾過する第３の工程と、
を備えることを特徴とする廃食油の再生処理方法。
【請求項４】
請求項１又は２に記載の再生処理物質を利用してディーゼルエンジン用燃料を製造するディーゼルエンジン用燃料の製造方法であって、
廃食油を加熱しながら撹拌する第１の工程と、
第１の工程後の廃食油に前記再生処理物質を添加してこれら第１の混合物を加熱しながら撹拌する第２の工程と、
前記第１の混合物を濾過する第３の工程と、
第３の工程後の濾過物に鉱物油と前記再生処理物質とを添加してこれら第２の混合物を撹拌する第４の工程と、
前記第２の混合物を濾過する第５の工程と、
を備えることを特徴とするディーゼルエンジン用燃料の製造方法。
【請求項５】
請求項１又は２に記載の再生処理物質を利用して廃食油を再生処理する廃食油の再生処理システムにおいて、
廃食油と前記再生処理物質とが供給される加熱タンクと、
前記加熱タンク内の物質を撹拌する撹拌機と、
前記加熱タンクと前記撹拌機とで加熱・撹拌された物質を濾過する濾過装置と、
を備えることを特徴とする廃食油の再生処理システム。
【請求項６】
請求項５に記載の廃食油の再生処理システムにおいて、
前記濾過装置が高圧プレス型ポンプを有することを特徴とする廃食油の再生処理システム。
【請求項７】
請求項１又は２に記載の再生処理物質を利用してディーゼルエンジン用燃料を製造するディーゼルエンジン用燃料の製造システムにおいて、
廃食油と前記再生処理物質とが供給される加熱タンクと、
前記加熱タンク内の物質を撹拌する撹拌機と、
前記加熱タンクと前記撹拌機とで加熱・撹拌された物質を濾過する第１の濾過装置と、
前記第１の濾過装置による濾過物と鉱物油と前記再生処理物質とが供給され、これら混合物を撹拌する撹拌槽と、
前記撹拌槽で撹拌された物質を濾過する第２の濾過装置と、
を備えることを特徴とするディーゼルエンジン用燃料の製造システム。
【請求項８】
請求項７に記載のディーゼルエンジン用燃料の製造システムにおいて、
前記第１の濾過装置が高圧プレス型ポンプを有し、
前記第２の濾過装置が高圧フィルターを有することを特徴とするディーゼルエンジン用燃料の製造システム。
【手続補正２】
【補正対象書類名】明細書
【補正対象項目名】発明の名称
【補正方法】変更
【補正の内容】
【発明の名称】再生処理物質、廃食油の再生処理方法、ディーゼルエンジン用燃料の製造方法、廃食油の再生処理システム及びディーゼルエンジン用燃料の製造システム
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
複数の工程から成る画像処理を行う画像処理装置において、
動的再構成が可能な動的再構成回路と、
前記動的再構成回路を用いて構成する複数の回路情報を記憶する再構成情報記憶手段と、
前記動的再構成回路により構成する回路を変更する再構成タイミングを検出する再構成タイミング検出手段と、
前記再構成タイミングの検出に応答して、前記動的再構成回路により構成すべき回路に対応する回路情報を前記再構成情報記憶手段から読み出し、前記動的再構成回路を再構成する制御手段とを有し、
前記再構成タイミング検出手段が、前記複数の工程のうち、処理すべき時間が独立している工程の開始タイミング又は終了タイミングを検出することを特徴とする画像処理装置。
【請求項２】
前記制御手段は、前記複数の工程に対応する回路を、前記再構成タイミングより所定期間ずつ時分割で動的再構成することを繰り返すように前記動的再構成回路を制御することを特徴とする請求項１記載の画像処理装置。
【請求項３】
前記画像処理は、マクロブロックに対する符号化処理であり、
前記再構成タイミング検出手段が、前記マクロブロックに対する符号化処理の少なくとも開始タイミングを検出することを特徴とする請求項１又は請求項２記載の画像処理装置。
【請求項４】
前記符号化処理は、予測符号化に用いる復号画像を生成するための復号化工程と、符号化するマクロブロックと前記復号画像との予測誤差を符号化する符号化工程とを有する符号化処理であり、
前記再構成タイミング検出手段が、前記復号化工程及び前記符号化工程の開始タイミングを検出することを特徴とする請求項３記載の画像処理装置。
【請求項５】
前記回路情報が、量子化器、逆量子化器、離散コサイン変換器、逆離散コサイン変換器の回路情報を含み、
前記制御手段が、前記動的再構成回路により、前記復号化工程では逆量子化器及び逆離散コサイン変換器を構成し、前記符号化工程では離散コサイン変換器及び量子化器を構成するように制御を行うことを特徴とする請求項４記載の画像処理装置。
【請求項６】
前記符号化処理は、動き補償と可変長符号化を用いる予測符号化処理であり、
前記回路情報が、前記符号化するマクロブロックの動きベクトルを検出する動き検出器及び可変長符号化器の回路情報を含み、
前記制御手段が、前記動的再構成回路により、前記動き検出器と可変長符号化器とを交互に構成するように制御を行うことを特徴とする請求項３記載の画像処理装置。
【請求項７】
前記制御手段は、
前記動的再構成回路により構成すべき回路を、処理負荷、スループット、圧縮率の何れかを含む指標に基づいて決定することを特徴とする請求項１記載の画像処理装置。
【請求項８】
前記制御手段が、処理負荷に応じて前記動的再構成回路により同一の回路を複数構成し、この複数の同一の回路を並列動作させて処理負荷を低減させることを特徴とする請求項７記載の画像処理装置。
【請求項９】
前記制御手段は、前記処理すべき時間が独立している工程が２つ以上ある場合、当該２つ以上の工程において構成すべき回路のうち、共通していない回路部分のみを動的に再構成するように前記動的再構成回路を制御することを特徴とする請求項１記載の画像処理装置。
【請求項１０】
前記制御手段は、前記符号化処理に要求されるスループットが低い場合は、動的再構成回数を削減するとともに１回当たりに動的再構成する回路の種類を増加させるように制御し、前記スループットが高い場合は動的再構成回数を増加するとともに１回当たりに動的再構成する回路の種類を減少させるように制御することを特徴とする請求項３記載の画像処理装置。
【請求項１１】
前記制御手段は、前記符号化処理に要求されるスループットが低い場合は、動的再構成回数を２回とし、１回目に動き予測回路及び動き補償回路を、２回目に離散コサイン変換回路と量子化回路と可変長符号化回路を動的再構成するように制御するとともに、前記スループットが高い場合は、動的再構成回数を４回とし、１回目に動き予測回路及び動き補償回路、２回目に離散コサイン変換回路及び逆離散コサイン変換回路、３回目に量子化回路及び逆量子化回路、４回目に可変長符号化回路をそれぞれ動的再構成するように制御することを特徴とする請求項３記載の画像処理装置。
【請求項１２】
前記指標が符号化或いは復号化処理スループットであり、
前記制御手段は、前記スループットが低い場合は動作速度より回路規模の小ささを優先して構成すべき回路を決定し、前記スループットが高い場合は回路規模より動作速度の速さを優先して構成すべき回路を決定することを特徴とする請求項７記載の画像処理装置。
【手続補正２】
【補正対象書類名】明細書
【補正対象項目名】００２８
【補正方法】変更
【補正の内容】
【００２８】
上述の目的は、複数の工程から成る画像処理を行う画像処理装置において、動的再構成が可能な動的再構成回路と、動的再構成回路を用いて構成する複数の回路情報を記憶する再構成情報記憶手段と、動的再構成回路により構成する回路を変更する再構成タイミングを検出する再構成タイミング検出手段と、再構成タイミングの検出に応答して、動的再構成回路により構成すべき回路に対応する回路情報を再構成情報記憶手段から読み出し、動的再構成回路を再構成する制御手段とを有し、再構成タイミング検出手段が、複数の工程のうち、処理すべき時間が独立している工程の開始タイミング又は終了タイミングを検出することを特徴とする画像処理装置によって達成される。
【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
画像データを複数の周波数帯域に分割してサブバンド係数を生成することにより周波数帯域分割を行う周波数帯域分割手段と、
前記画像データの形状を表す形状情報と、前記形状の領域内の前記サブバンド係数とを利用して前記形状の領域外のサブバンド係数を補填するサブバンド係数補填手段と、
補填された前記サブバンド係数を符号化して符号化データを生成する符号化手段と、
前記形状情報を符号化して形状情報符号化データを生成する形状情報符号化手段と
を有することを特徴とする画像符号化装置。
【請求項２】
前記周波数帯域分割は離散ウェーブレット変換であることを特徴とする請求項１に記載の画像符号化装置。
【請求項３】
前記周波数帯域分割手段は、
参照される前記領域外の画素について、前記形状情報に基づき、前記領域内の画素データを補填する補填手段
を備えることを特徴とする請求項１又は２に記載の画像符号化装置。
【請求項４】
前記サブバンド係数補填手段は、前記領域内の境界に属するサブバンド係数を繰り返し補填することを特徴とする請求項１乃至３のいずれか１項に記載の画像符号化装置。
【請求項５】
前記サブバンド係数補填手段は、前記領域内の境界に属する最近傍のサブバンド係数を繰り返し補填することを特徴とする請求項１乃至３のいずれか１項に記載の画像符号化装置。
【請求項６】
前記サブバンド係数補填手段は、前記領域内の境界に属するサブバンド係数の平均値で補填することを特徴とする請求項１乃至３のいずれか１項に記載の画像符号化装置。
【請求項７】
画像データを符号化した符号化データと前記画像データの形状を表す形状情報を符号化した形状情報符号化データとを復号する画像復号装置であって、
前記形状情報符号化データを復号して形状情報を生成する形状情報復号手段と、
前記符号化データを復号して、前記画像データを複数の周波数帯域に分割して得られたサブバンド係数を生成する復号手段と、
前記形状情報を参照して、前記形状の領域外の参照されるサブバンド係数にデータを補填して合成することで前記画像データを生成することにより周波数帯域合成を行う周波数帯域合成手段と、
前記形状情報と前記画像データを出力する出力手段と
を有することを特徴とする画像復号装置。
【請求項８】
前記周波数帯域合成は逆離散ウェーブレット変換であることを特徴とする請求項７に記載の画像復号装置。
【請求項９】
前記復号手段が、前記復号された前記符号化データを逆量子化する逆量子化手段を有することを特徴とする請求項７又は８記載の画像復号装置。
【請求項１０】
画像データを複数の周波数帯域に分割してサブバンド係数を生成することにより周波数帯域分割を行う周波数帯域分割工程と、
前記画像データの形状を表す形状情報と、前記形状の領域内の前記サブバンド係数とを利用して前記形状の領域外のサブバンド係数を補填するサブバンド係数補填工程と、
補填された前記サブバンド係数を符号化して符号化データを生成する符号化工程と、
前記形状情報を符号化して形状情報符号化データを生成する形状情報符号化工程と、
を有することを特徴とする画像符号化方法。
【請求項１１】
前記周波数帯域分割が離散ウェーブレット変換であることを特徴とする請求項１０に記載の画像符号化方法。
【請求項１２】
周波数帯域分割工程は、参照される前記領域外の画素について、前記形状情報に基づき、前記領域内の画素データを補填する補填工程を備えることを特徴とする請求項１０又は１１に記載の画像符号化方法。
【請求項１３】
前記サブバンド係数補填工程では、前記領域内の境界に属するサブバンド係数が繰り返し補填されることを特徴とする請求項１０乃至１２のいずれか１項に記載の画像符号化方法。
【請求項１４】
前記サブバンド係数補填工程では、前記領域内の境界に属する最近傍のサブバンド係数が繰り返し補填されることを特徴とする請求項１０乃至１２のいずれか１項に記載の画像符号化方法。
【請求項１５】
前記サブバンド係数補填工程では、前記領域内の境界に属するサブバンド係数の平均値で補填されることを特徴とする請求項１０乃至１２のいずれか１項に記載の画像符号化方法。
【請求項１６】
画像データを符号化した符号化データと前記画像データの形状を表す形状情報を符号化した形状情報符号化データを復号する画像復号方法であって、
前記形状情報符号化データを復号して形状情報を生成する形状情報復号工程と、
前記符号化データを復号して画像データを複数の周波数帯域に分割して得られたサブバンド係数を生成する復号工程と、
前記形状情報を参照して、前記形状の領域外の参照されるサブバンド係数にデータを補填して合成することで前記画像データを生成することにより周波数帯域合成を行う周波数帯域合成工程と、
前記形状情報と前記画像データとを出力する出力工程と
を有することを特徴とする画像復号方法。
【請求項１７】
前記周波数帯域合成が、逆離散ウェーブレット変換であることを特徴とする請求項１６に記載の画像復号方法。
【請求項１８】
前記復号工程では、復号された前記符号化データを逆量子化する逆量子化工程を有することを特徴とする請求項１６又は１７記載の画像復号方法。
【請求項１９】
請求項１０乃至１５のいずれか１項に記載の画像符号化方法をコンピュータに実行させるための画像符号化プログラム。
【請求項２０】
請求項１６乃至１８のいずれか１項に記載の画像復号方法をコンピュータに実行させるための画像復号プログラム。
【請求項２１】
請求項１９又は２０に記載のプログラムを記録したコンピュータで読み取り可能な記録媒体。